(57)【要約】無線通信システムにおいて、回線品質情報を用いて、サブキャリアの通信環境の変化に対応し、サブキャリアを効率的に利用する為、基地局が、移動局から通知される回線品質情報に基づき、自局（基地局）と前記移動局間の通信環境の状態を識別し、前記識別した通信環境の状態に基づいて、搬送に使用する特定のサブキャリアに、通信の制御に関する送信情報を、選択的にマッピングする。
2009025251.tif 000002
【特許請求の範囲】
【請求項１】
基地局は、移動局から通知される回線品質情報に基づき、自局（基地局）と前記移動局間の通信環境の状態を識別し、
前記識別した通信環境の状態に基づいて、搬送に使用する特定のサブキャリアに、通信の制御に関する送信情報を、選択的にマッピングする
ことを特徴とするサブキャリアのマッピング方法。
【請求項２】
前記移動局が通知する回線品質情報は、前記基地局が割当てた通信帯域に対応して測定された回線品質情報であり、
前記基地局は、前記識別した通信環境の状態が良いサブキャリアに、重要度の高い通信の制御に関する送信情報をマッピングする
ことを特徴とする請求項１記載のサブキャリアのマッピング方法。
【請求項３】
前記移動局が通知する回線品質情報は、ＣＱＩ（Ｃｈａｎｎｅｌ  Ｑｕａｌｉｔｙ  Ｉｎｄｉｃａｔｏｒ）を用い、
前記基地局が割当てた通信帯域は、リソースブロックであることを特徴とする請求項２記載のサブキャリアのマッピング方法。
【請求項４】
前記基地局がマッピングする通信の制御に関する送信情報は、システマチックビットであることを特徴とする請求項１ないし３の何れか一記載のサブキャリアのマッピング方法。
【請求項５】
前記基地局が、前記通信環境の状態を識別する基準は、識別対象の回線品質情報が、前記移動局に割当てられた前記通信帯域の回線品質情報の平均より高い又は低いであることを特徴とする請求項１ないし４の何れか一記載のサブキャリアのマッピング方法。
【請求項６】
前記基地局が、前記通信環境の状態を識別する基準は、識別対象の回線品質情報が予め定められた閾値より高い又は低いであることを特徴とする請求項１ないし４の何れか一記載のサブキャリアのマッピング方法。
【請求項７】
前記基地局が、前記通信環境の状態を識別する基準は、識別対象の回線品質情報が、前記移動局に割当てられた前記通信帯域の回線品質情報の平均に予め定められた閾値を加えた値より高い又は低いであることを特徴とする請求項１ないし４の何れか一記載のサブキャリアのマッピング方法。
【請求項８】
前記特定のサブキャリア及び前記特定のサブキャリアを除くサブキャリアへの送信情報のマッピングは、前記回線品質情報に基づき、前記通信環境の状態の良い通信帯域に重要度の高い通信の制御に関する送信情報をマッピングすること、又は、周波数ダイバーシティ効果を優先することの何れかを選択する適応的な制御であることを特徴とする請求項１ないし７の何れか一記載のサブキャリアのマッピング方法。
【請求項９】
前記移動局は、前記基地局が前記回線品質情報に基づき、送信情報をマッピングする基準を予め取得し、当該基準に基づいて、前記基地局から送信されてくる送信情報を復調や復号処理等を行なうことを特徴とする請求項１ないし８の何れか一記載のサブキャリアのマッピング方法。
【請求項１０】
前記移動局は、前記基地局が前記回線品質情報に基づき、送信情報をマッピングした結果を前記基地局から取得し、当該取得した結果に基づいて、前記基地局から送信されてくる送信情報を復調や復号処理を行なうことを特徴とする請求項１ないし８の何れか一記載のサブキャリアのマッピング方法。
【請求項１１】
移動局から通知される回線品質情報に基づき、自局（基地局）と前記移動局間の通信環境の状態を識別し、
移動局から通知される回線品質情報を用い、搬送に使用する特定のサブキャリアに、通信の制御に関する送信情報を、選択的にマッピングすることを特徴とする基地局。
【請求項１２】
前記移動局から通知される回線品質情報は、ＣＱＩでり、
前記特定のサブキャリア及び前記特定のサブキャリアを除くサブキャリアに、送信情報をマッピングする方法は、前記ＣＱＩを識別し、前記ＣＱＩの良い通信帯域に重要度の高い通信の制御に関する送信情報をマッピングすることを優先する又は周波数ダイバーシティ効果を優先する適応的な制御であることを特徴とする請求項１１記載の基地局。
【請求項１３】
前記ＣＱＩの識別は、識別対象のＣＱＩが、前記移動局に割当てられた前記通信帯域のＣＱＩの平均より高い又は低いで識別されることを特徴とする請求項１２記載の基地局。
【請求項１４】
前記ＣＱＩの識別は、識別対象のＣＱＩが、予め定められた閾値より高い又は低いで識別されることを特徴とする請求項１２記載の基地局。
【請求項１５】
前記ＣＱＩの識別は、識別対象のＣＱＩが、前記移動局に割当てられた前記通信帯域のＣＱＩの平均に予め定められた閾値を加えた値より高い又は低いで識別されることを特徴とする請求項１２記載の基地局。
【請求項１６】
前記通信の制御に関する送信情報が、システマチックビットを含む情報であることを特徴とする請求項１１ないし１５の何れか一記載の基地局。
【請求項１７】
前記通信帯域は、リソースブロックであることを特徴とする請求項１１ないし１６の何れか一記載の基地局。
【請求項１８】
移動局から通知されたリソースブロック毎のＣＱＩを識別する手段と、
前記識別したＣＱＩが予め定めた識別条件の場合に、前記識別したＣＱＩのリソースブロックに、システマチックビットを優先的にマッピングする手段と
を備えることを特徴とする基地局。
【請求項１９】
基地局との通信環境の状態を示す回線品質情報を取得すると共に取得した回線品質情報を前記基地局に通知し、
前記回線品質情報に基づいてサブキャリアにマッピングされた前記基地局が送信する送信情報を、前記回線品質情報を用いて識別し、
当該識別した結果に基づいてサブキャリアに含まれる所定の送信情報を取得することを特徴とする移動局。
【請求項２０】
基地局との通信環境の状態を示す回線品質情報を取得すると共に取得した回線品質情報を前記基地局に通知し、
前記回線品質情報に基づいてサブキャリアにマッピングされた前記基地局が送信する送信情報を、前記基地局から送信される前記送信情報のマッピングに関する識別情報を用いて識別し、
当該識別結果に基づいてサブキャリアに含まれる所定の送信情報を取得することを特徴とする移動局。
【発明の詳細な説明】
【技術分野】
【０００１】
本発明は、無線通信システム及び、無線通信に用いるキャリアのマッピングに関する。
【背景技術】
【０００２】
ＬＴＥ（Ｌｏｎｇ  Ｔｅｒｍ  Ｅｖｏｌｕｔｉｏｎ）として、３ＧＰＰ（３ｒｄ  Ｇｅｎｅｒａｔｉｏｎ  Ｐａｒｔｎｅｒｓｈｉｐ  Ｐｒｏｊｅｃｔ）で策定されている通信方式では、１００Ｍｂｐｓ以上の高スループットが目標とされている。また、各種通信サービスの多様化が目覚しい今日では、今後の通信量の増加が見込まれており、その対応としても高スループットの通信方式が望まれる。このため、通信システム全体でのスループット向上を掲げ、多くの発明が成されている。
前述の発明などによって、無線通信技術は日々刻々進化している。これは、電波の周波数帯の選定を始め、送信方法、符号化／複合化、誤り制御、多重化、多元化、周波数帯の効率利用のなど多くの分野での研究開発の成果といえる。同じく、通信システム全体としての研究開発の成果といえる。
上記分野の周波数帯の効率利用の為、サブキャリアのマッピングの効率化を図る必要がある。サブキャリアのマッピングは、「Ｒｅｌｅａｓｅ  ５」規格のＨＳＤＰＡ（Ｈｉｇｈ  Ｓｐｅｅｄ  Ｄｏｗｎ−ｌｉｎｋ  Ｐａｃｋｅｔ  Ａｃｃｅｓｓ）などで実施されている。ＨＳＤＰＡでは、品質の良い回線に高速通信に向いた変調方式や符号化方式を割当て、品質の悪い回線に安定度の高い変調方式や符号化方式を割当てている。このように、回線品質を認識し、変調方式や符号化方式を変更することで、通信システム全体として通信損失を軽減している。
詳しくは、回線品質が低い（通信環境が悪い）にも関わらず、高速通信向けの変調方式などを用いると、通信エラーが多数発生し、その都度エラー訂正や再送等の誤り訂正処理を行う必要がある。このため、通信品質を加味した変調方式などを用いることが、通信システム全体として通信損失を軽減することに繋がる。
即ち、高速通信可能な変調方式等を使用すれば、高速通信が可能となる訳でなく、回線品質をはじめ多くの事柄を勘案し、通信システム全体としての利益を検討することが重要と成る。
一例としては、通信の制御信号が欠損した場合には、正しく受信した信号（データ）の使用用途が不明となり、最終的には受信した信号（データ）を破棄する必要がある。また、別の例では、一部の誤り訂正用情報が欠損した場合には、正しい信号を受信したとしても、受信が失敗したと認識してしまう。
そこで、重要度の高い制御信号（システマチックビット）等を、より安全な環境で通信することが、全体としてスループットの向上となる。
一方、ＨＳＤＰＡでは、ＣＱＩ（Ｃｈａｎｎｅｌ  Ｑｕａｌｉｔｙ  Ｉｎｄｉｃａｔｏｒ）を用いてサブキャリア（周波数リソース）のマッピングを行ない、移動局に対するリソースマッピングを効率的に制御することが重要となっている。
このような技術は、例えば、特許文献１及び特許文献２に記載されている。
特許文献１には、送信する情報の種類に応じて、送信スケジュールを選択することで、通信効率の向上を図る技術が開示されている。更に、ＣＱＩと変調方式及び符号化率との関連付けを記したＭＣＳ選択情報のテーブルを用いて、サブキャリアごとの変調方式及び符号化率を選択する技術が開示されている。
特許文献２には、ＣＱＩを用いて、サブキャリアを選択し、更に、選択されたサブキャリアの変調方式、符号化方式を周波数ホッピングパターンとＣＱＩを用いて選択する技術が開示されている。
【特許文献１】ＷＯ２００５／０２０４８８号公報
【特許文献２】特開２００６−３２５２６４号公報
【発明の開示】
【発明が解決しようとする課題】
【０００３】
しかしながら、特許文献１に記載された技術は、フェージングによる回線環境の変化に対応できない。即ち、サブキャリアの通信環境が変化し、重要度の高い制御信号が失われてしまう確率がある。
また、特許文献２に記載された技術は、周波数ホッピングパターンを利用してサブキャリアの周波数変化（周波数フェージング）の影響を軽減できるものの、予め定まった周波数変動（ホッピングパターン）以外の周波数や位置、時間等のフェージングによる回線環境の変化に対応できない。即ち、周波数変動や位置変化（移動）や時間変化によってサブキャリアの通信環境が変化し、重要度の高い制御信号が失われてしまう確率がある。
本発明の目的は、上記課題を解決し、回線品質情報を用いて、サブキャリアの通信環境の変化に対応し、サブキャリアを効率的に利用する基地局、移動局及びサブキャリアのマッピング方法を提供することにある。
【課題を解決するための手段】
【０００４】
上記目的を達成する本発明のサブキャリアのマッピング方法は、基地局が、移動局から通知される回線品質情報に基づき、自局（基地局）と前記移動局間の通信環境の状態を識別し、前記識別した通信環境の状態に基づいて、搬送に使用する特定のサブキャリアに、通信の制御に関する送信情報を、選択的にマッピングすることを特徴とする。
【発明の効果】
【０００５】
本発明によれば、回線品質情報を用いて、サブキャリアの通信環境の変化に対応し、サブキャリアを効率的に利用する基地局、移動局及びサブキャリアのマッピング方法を提供できる。
【図面の簡単な説明】
【０００６】
図１は、実施の一形態の移動局の一部を示すブロック図である。
図２は、実施の一形態のサブキャリアを割当てる通信システムのシーケンス図である。
図３は、移動局から通知されるＣＱＩをリソースブロックごとに表した例示図である。
図４は、別の実施の一形態の移動局の一部を示すブロック図である。
図５は、別の実施の一形態のサブキャリアを割当てる通信システムのシーケンス図である。
【発明を実施するための最良の形態】
【０００７】
本発明の実施の一形態を図１ないし図３に基づいて説明する。
図１は、実施の一形態の移動局１００の一部を示すブロック図である。図１は、移動局を示す一般的なブロック図の一部であり、本発明の特徴部分を示す。
ＦＦＴ（Ｆａｓｔ  Ｆｏｕｒｉｅｒ  Ｔｒａｎｓｆｏｒｍ）部１０１は、直交検波されたＩｃｈ，Ｑｃｈ信号を受信し、ＱＰＳＫ／ＱＡＭ復調部１０２及びＣＱＩ測定部１０３にサブキャリアの信号を送信する。
ＱＰＳＫ／ＱＡＭ復調部１０２は、サブキャリアの信号を受信し、シンボルに復調し、サブキャリアデマップ部１０６、制御チャンネル復号部１０４に復調したシンボルを送信する。
ＣＱＩ測定部１０３は、サブキャリアの信号を受信し、ＣＱＩを測定し、測定したＣＱＩを基地局に送信すると同時的に、ＲＢ（Ｒｅｓｏｕｒｃｅ  Ｂｌｏｃｋ）ランク判定部１０５にＣＱＩを送信する。
制御チャネル復号部１０４は、ＱＰＳＫ／ＱＡＭ復調部１０２から受信したサブキャリアの信号を、ＤＬ−ＳＣＨ割当てリソースブロック情報に復号する。尚、制御チャネル復号部１０４の制御チャネル復号処理は従来技術と同様な為、説明を省略する。
ＲＢランク判定部１０５は、制御チャネル復号部１０４から通知される割当てリソースブロック情報とＣＱＩ測定部１０３から通知される平均ＣＱＩおよび各リソースブロックグループのＣＱＩに基づき、割当てリソースブロックの中に平均ＣＱＩより閾値Ｎ以上高いＣＱＩのリソースブロックがあるか識別し、識別結果をサブキャリアデマップ部１０６に送信する。尚、識別処理は、システマチックビットが特定リソースブロックに優先的にマッピングされているかどうかを識別する処理である。
ここでシステマチックビットとは、ダウンロード回線の制御情報（信号）であり、例えば、畳み込み符号化、Ｔｕｒｂｏ符号化などの符号化方式、変調方式、誤り訂正などの情報が含まれる。
サブキャリアデマップ部１０６は、ＲＢランク判定部１０５の識別結果を受信し、当該識別結果を用いて、システマチックビットが特定リソースブロックに優先的にマッピングされているかどうかを識別し、マッピングされている場合にはデインターリーブ入力の順にサブキャリアデマッピングを行い、デインターリーブ部１０７に信号を送信する。尚、デインターリーブ部１０７、Ｈ−ＡＲＱ部１０８以降の処理は、従来技術と同様な為、説明を省略する。
基地局２００の構成は、従来技術と同様な構成で可能である。即ち、ＣＱＩを識別可能であって、任意に送信情報をサブキャリアにマッピングを行なえれば、どの様な構成でも良い。
このような構成を含む通信システムにおいて、回線品質情報を用いて、サブキャリアの通信環境の変化に対応し、サブキャリアを効率的に利用するサブキャリアのマッピングができる。次に、通信システムの動作を説明する。
動作の説明は、通信中の動作を例示して説明する。尚、本発明は、移動局１００が通信を開始後、又は、基地局２００からの通信の開始後、移動局−基地局間でダウンリンクを確立するときに、移動局−基地局間で行なわれる、ＣＱＩ値を用いたサブキャリアのマッピング手法と、サブキャリアにマッピングされて搬送される送信情報とに特徴がある。
図２は、実施の一形態のサブキャリアをマッピングする通信システムのシーケンス図である。
移動局１００が通信を開始後、又は、基地局２００からの通信の開始後、移動局１００と基地局２００は、ＤＬ−ＳＣＨ通信を開始する（ステップＳ１０１）。
移動局１００は、ＣＱＩ測定部１０３を用いて、リソースブロック毎にＣＱＩを測定して基地局２００にＣＱＩを通知する（ステップＳ１０２）。
基地局２００は、移動局１００からのＣＱＩの通知に基づき、リソースブロックの割当てを行う（ステップＳ１０３）。
基地局２００は、移動局１００に割当てた特定のリソースブロックのＣＱＩが平均ＣＱＩより閾値Ｎ以上大きいかを識別する。即ち、通信環境を識別する。（ステップＳ１０４）。尚、通信環境を識別する方法の詳細は、図３を用いて後述する。
基地局２００は、識別した全てのリソースブロックのＣＱＩが平均ＣＱＩ＋閾値Ｎより小さい場合には、インターリーブ出力順に周波数の低い順もしくは高い順にサブキャリアマッピングを実施し、ＤＬ−ＳＣＨを送信する（ステップＳ１０５）。当該動作は、基地局２００が各リソースブロックの伝搬環境の差分は少ないと判断し、周波数ダイバーシティ効果を優先するためである。
基地局２００は、平均ＣＱＩ＋閾値Ｎ以上の場合には、当該ＣＱＩのリソースブロックに対し、システマチックビットを優先的に割当てるサブキャリアマッピングを実施し、ＤＬ−ＳＣＨを送信する。即ち、重要な情報を通信環境の良いリソースブロックにマッピングする（ステップＳ１０６）。尚、パリティビット等は、残りの（他の）リソースブロックの中にマッピングする。
移動局１００は、基地局２００から送信されたＤＬ−ＳＣＨを受信し、ＤＬ−ＳＣＨに含まれる制御情報（制御信号）を解析し、自分宛のＤＬ−ＳＣＨが含まれるリソースブロックを識別する。移動局１００は、ＣＱＩ測定部１０３を用いて識別したリソースブロックに対するＣＱＩを取得し、ＲＢランク判定部１０５で、リソースブロックの中から、平均ＣＱＩより閾値Ｎ以上のＣＱＩを識別する（ステップＳ１０７）。
移動局１００は、識別した結果に平均ＣＱＩ＋閾値Ｎ以上のリソースブロックが含まれていた場合には、当該リソースブロックにシステマチックビットが優先的にマッピングされていると識別する。また、平均ＣＱＩ＋閾値Ｎ以上のリソースブロックが無い場合は、インターリーブ出力順に周波数の低い順もしくは高い順にマッピングされていると識別する。移動局１００は、識別結果に基づいて、復調した信号をサブキャリアデマッピングし、デインターリーブ部１０７の入力信号を構成する（ステップＳ１０８）。
このような処理方法によれば、基地局は、移動局が報告するＣＱＩを用いて、新たに付加的な制御信号を送信することなく、サブキャリアマッピングの結果（方法）を通知できる。即ち、サブキャリアマッピングの制御情報を通知した効果と同様の効果を得られ、通信の安定化が図れる。
また、新たな付加的な制御信号を送信しない為、オーバーヘッドが発生しない。即ち、通信の効率化が図れる。
更に、平均ＣＱＩと通知されたＣＱＩとの差分を、制御や実行の閾値として使用し、良好受信環境のリソースブロックを優先するか、又は、周波数ダイバーシティ効果を優先するかを適応的に選択することにより、良好な通信特性を実現できる。
更に、システマチックビットを通信環境のよいリソースブロックにマッピングすることで、良好な通信特性を実現できる。
即ち、ＣＱＩを用いて、位置及び時間変化に基づくサブキャリアの通信環境の変化に対応できる。
次に、図３を用いて、基地局２００が行なうリソースブロック毎の識別動作を説明する。
図３は、基地局２００が受信する、移動局１００から通知されるＣＱＩをリソースブロックごとに表した例示図である。
通信帯域は、ＣＱＩを測定する単位であるリソースブロック（グループ）に分割される。図３の例では、３０１から３０６の６帯域のリソースブロックに分割される。
図２のリソースブロックの識別（ステップＳ１０４）では、割当てリソースブロックの識別に用いる基準に、閾値を用いる。まず、平均ＣＱＩより閾値Ｎ以上のＣＱＩを示すリソースブロックがあるか識別する。識別結果がＹＥＳの場合には、そのリソースブロックに優先的にシステマチックビットをマッピングする。即ち、図３の例では、斜線で示したリソースブロック３０３に優先的にシステマチックビットをマッピングする。尚、識別結果がＮｏの場合は、インターリーブ出力順でシステマチックビットをマッピングする。
別の識別方法は、平均ＣＱＩを用いず、ＣＱＩが閾値より大きいか小さいかで識別する方法がある。同じく、平均ＣＱＩと平均ＣＱＩ以上の上位のＣＱＩとそのリソースブロックを識別する。
尚、ＣＱＩの識別には、閾値を用いず（又は閾値＝０として扱う）、ＣＱＩの高いリソースブロック順にシステマチックビットを割当てることも可能である。また、閾値の規定は、他の方法でも良く、特に限定しない。
このようにリソースブロックを識別すれば、ＣＱＩの通知に要するオーバーヘッドが発生せず、ＣＱＩ情報の優劣が識別できる。
尚、図２ではＢｅｓｔ−Ｍ方式に則ってＣＱＩ通知方法を説明したが、例えばＤＣＴ（Ｄｉｓｃｒｅｔｅ  Ｃｏｓｉｇｎ  Ｔｒａｎｓｆｏｒｍ）方式のように別の通知方法でもかまわない。
前述の実施の一形態では、移動局１００が独自にシステマチックビットのマッピングされているリソースブロックを識別しているが、リソースブロックの情報を識別信号として基地局が通知しても構わない。
この場合を例示すれば、図４及び図５の様なブロック図及びシーケンス図となる。
図４は、別の実施の一形態の移動局４００の一部を示すブロック図である。
前述の移動局１００からＲＢランク判定部１０６を削除した構成となっている。
移動局４００の制御チャネル復号部４０４は、ＱＰＳＫ／ＱＡＭ復調部４０２から受信したサブキャリアの信号を、ＤＬ−ＳＣＨ割当てリソースブロック情報に復号する。
サブキャリアデマップ部４０６は、制御チャネル復号部４０４から送信されるリソースブロック情報を用いて、システマチックビットが特定リソースブロックに優先的にマッピングされているかどうかを識別し、マッピングされている場合にはデインターリーブ入力の順にサブキャリアデマッピングを行い、デインターリーブ部１０７に信号を送信する。
その他の構成及び動作は移動局１００と同様である。
図５は、別の実施の一形態のサブキャリアをマッピングする通信システムのシーケンス図である。
ステップＳ２０１からステップＳ２０３までの動作は、図２のシーケンス図と同様である。
ステップＳ２０４では、基地局２００がリソースブロックの識別を行い、更に、識別信号を生成する。尚、リソースブロックの識別は、実施の一形態と同じ識別方法で行なえば良い。
ステップＳ２０５、ステップＳ２０６では、サブキャリアデマッピングを行なうと共に、識別情報を付加しＤＳ−ＳＣＨを移動局４００に送信する。
ステップ２０７では、移動局４００が、識別信号を用いて、受信した信号の復号処理を行う。
その他の動作は移動局１００と同様である。
本実施の一形態では、制御情報にオーバーヘッドが増加する代わりに、移動局の処理簡略化が可能である。また、回路規模削減が可能である。
尚、図１及び図４で示した各部は、ハードウェア（ロジック）で実現しても良いし、ＣＰＵとソフトウェアを用いて実現しても良い。
以上、実施の形態を参照して本発明を説明したが、本発明は、上記実施の形態に限定されるものではない。本発明の構成や詳細は、本発明の請求の範囲内で当業者が理解し得る様々な変更を行なうことができる。
尚、本発明は、移動局を有する通信システム全般において適応可能である。また、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）やＯＦＣＤＭ（Ｏｒｔｈｏｇｏｎａｌ  Ｆｒｅｑｕｅｎｃｙ  ａｎｄ  Ｃｏｄｅ  Ｄｉｖｉｓｉｏｎ  Ｍｕｌｔｉｐｌｅｘｉｎｇ）を用いた通信機器に特に有用である。
本出願は、２００７年８月２０日に出願された日本出願特願２００７−２１３４２２号を基礎とする優先権を主張し、その開示の全てをここに取り込む。
【図１】
2009025251.tif 000003
【図２】
2009025251.tif 000004
【図３】
2009025251.tif 000005
【図４】
2009025251.tif 000006
【図５】
2009025251.tif 000007
【手続補正書】
【提出日】平成22年2月19日(2010.2.19)
【手続補正１】
【補正対象書類名】特許請求の範囲
【補正対象項目名】全文
【補正方法】変更
【補正の内容】
【特許請求の範囲】
【請求項１】
基地局は、移動局から通知される回線品質情報に基づき、自局（基地局）と前記移動局間の通信環境の状態を識別し、
前記識別した通信環境の状態に基づいて、搬送に使用する特定のサブキャリアに、通信の制御に関する送信情報を、選択的にマッピングする
ことを特徴とするサブキャリアのマッピング方法。
【請求項２】
前記移動局が通知する回線品質情報は、前記基地局が割当てた通信帯域に対応して測定された回線品質情報であり、
前記基地局は、前記識別した通信環境の状態が良いサブキャリアに、重要度の高い通信の制御に関する送信情報をマッピングする
ことを特徴とする請求項１記載のサブキャリアのマッピング方法。
【請求項３】
前記移動局が通知する回線品質情報は、ＣＱＩ（Channel Quality Indicator）を用い、
前記基地局が割当てた通信帯域は、リソースブロックであることを特徴とする請求項２記載のサブキャリアのマッピング方法。
【請求項４】
前記基地局がマッピングする通信の制御に関する送信情報は、システマチックビットであることを特徴とする請求項１ないし３の何れか一記載のサブキャリアのマッピング方法。
【請求項５】
前記基地局が、前記通信環境の状態を識別する基準は、識別対象の回線品質情報が、前記移動局に割当てられた前記通信帯域の回線品質情報の平均に予め定められた閾値を加えた値より高い又は低いであることを特徴とする請求項１ないし４の何れか一記載のサブキャリアのマッピング方法。
【請求項６】
移動局から通知される回線品質情報に基づき、自局（基地局）と前記移動局間の通信環境の状態を識別し、
移動局から通知される回線品質情報を用い、搬送に使用する特定のサブキャリアに、通信の制御に関する送信情報を、選択的にマッピングすることを特徴とする基地局。
【請求項７】
前記移動局から通知される回線品質情報は、ＣＱＩであり、
前記特定のサブキャリア及び前記特定のサブキャリアを除くサブキャリアに、送信情報をマッピングする方法は、前記ＣＱＩを識別し、前記ＣＱＩの良い通信帯域に重要度の高い通信の制御に関する送信情報をマッピングすることを優先する又は周波数ダイバーシティ効果を優先する適応的な制御であることを特徴とする請求項６記載の基地局。
【請求項８】
前記通信の制御に関する送信情報が、システマチックビットを含む情報であることを特徴とする請求項６又は７に記載の基地局。
【請求項９】
移動局から通知されたリソースブロック毎のＣＱＩを識別する手段と、
前記識別したＣＱＩが予め定めた識別条件の場合に、前記識別したＣＱＩのリソースブロックに、システマチックビットを優先的にマッピングする手段と
を備えることを特徴とする基地局。
【請求項１０】
基地局との通信環境の状態を示す回線品質情報を取得すると共に取得した回線品質情報を前記基地局に通知し、
前記回線品質情報に基づいてサブキャリアにマッピングされた前記基地局が送信する送信情報を、前記回線品質情報を用いて識別し、
当該識別した結果に基づいてサブキャリアに含まれる所定の送信情報を取得することを特徴とする移動局。
【国際調査報告】
2009025251.tif 000008
2009025251.tif 000009
2009025251.tif 000010
2009025251.tif 000011